(57)【要約】【課題】空調を最適な温度に設定するためのアドバイスをすることにより、過剰な温度設定を防止することが可能で、健康的かつ余分な電気量を削減できることにより、エコにも貢献するエコ健康装置を提供することを主要な目的とする。【解決手段】制御手段（１０１）、性別入力手段（１０２）、年齢入力手段（１０３）及び体脂肪率入力手段は（１０４）を備える。健康温度記憶手段（１０７）は、性別、年齢、体脂肪率と、そのときの人の体にとって上記エアコンの健康的な設定温度である健康設定温度とを対応づけて記憶する。健康温度判定手段（１０６）は、性別、年齢及び体脂肪率と、健康温度記憶手段（１０７）が記憶する記憶データとから、健康設定温度を判定する。表示手段（１０５）は、健康温度判定手段（１０６）によって判定された健康設定温度を表示する。【選択図】図１
2011226720.tif 000002
【特許請求の範囲】
【請求項１】
エアコンを最適な温度に設定するためのアドバイスを行うエコ健康装置であって、
「性別」を入力する性別入力手段と、
「年齢」を入力する年齢入力手段と、
「体脂肪率」を入力する体脂肪率入力手段と、
性別、年齢及び体脂肪率と、そのときの人の体にとって前記エアコンの健康的な設定温度である健康設定温度とを対応づけて記憶する健康温度記憶手段と、
前記性別入力手段、前記年齢入力手段、前記体脂肪率入力手段より得られた性別、年齢及び体脂肪率と、前記健康温度記憶手段が記憶する記憶データとから、前記健康設定温度を判定する健康温度判定手段と、
前記健康温度判定手段によって判定された前記健康設定温度を表示する表示手段と、を備えたエコ健康装置。
【請求項２】
請求項１に記載のエコ健康装置であって、さらに
前記エアコンの現在の設定温度を入力する現在設定温度入力手段と、
前記エアコンの前記設定温度にした時に１時間当たりにかかる「電力量」を入力する電力量入力手段と、
前記現在設定温度入力手段から出力された温度と、前記健康温度判定手段から出力された前記健康設定温度との、差から削減される電力量を計算して出力する削減電力量判定手段と、
削減される電力量と、削減できる電気代と、削減できる電力量からどのくらいに環境保全に努めることができたかを定量的に示すエコ貢献度と、削減できる電力量からユーザがどのくらい健康になるかを定量的に示す健康度と、を対応付けて記憶する電力量効果記憶手段と、
前記削減電力量判定手段から出力された削減電力量と前記電力量効果記憶手段とを用いて、削減できる電気代と前記エコ貢献度と前記健康度を出力する削減エコ判定手段とを備え、
前記表示手段には、前記健康設定温度に加えて、現在の設定温度から前記健康設定温度に設定した場合の、削減される電気量、前記エコ貢献度及び前記健康度を画面に表示するエコ健康装置。
【請求項３】
請求項１に記載のエコ健康装置であって、さらに
前記エアコンの前記健康設定温度にした時に１時間当たりにかかる「電力量」を入力する電力量入力手段と、
前記健康温度記憶手段が記憶する記憶データから、前記性別、年齢からユーザ自身にとって標準的な体脂肪率を判定し、そのときの前記エアコンの健康的な設定温度である標準カラダ温度を判定して出力する標準カラダ温度判定手段と、
前記健康温度判定手段から出力された前記健康設定温度と、前記標準カラダ温度判定手段から出力された前記標準カラダ温度と、の差から削減される電力量を計算して出力する削減電力量判定手段と、
削減される電力量と、削減できる電気代と、削減できる電力量からどのくらいに環境保全に努めることができたかを定量的に示すエコ貢献度と、削減できる電力量からユーザがどのくらい健康になるかを定量的に示す健康度と、を対応付けて記憶する電力量効果記憶手段と、
前記削減電力量判定手段から出力された削減電力量と前記電力量効果記憶手段とを用いて、削減できる電気代と前記エコ貢献度と前記健康度を出力する削減エコ判定手段とを備え、
前記表示手段には、前記健康設定温度に加えて、現在の体脂肪率と、さらにランクを１〜３に分けてなる、前記削減エコ判定手段に入力された前記削減電気量と前記エコ貢献度と前記健康度を示す健康エコ目標とを表示するエコ健康装置。
【発明の詳細な説明】
【技術分野】
【０００１】
この発明は一般にエコ健康装置（エコと健康のアドバイス装置）に関するものであり、より特定的には、空気調和機を最適な温度に設定するためのアドバイスをすることにより、過剰な温度設定を防止することが可能で、健康的かつ余分な電気量を削減できることによりエコにも貢献することができるように改良された、エコと健康のアドバイス装置に関する。
【背景技術】
【０００２】
近年、様々な電化製品が以前に増して画期的なものになってきており、私たちの生活はより便利なものになっている。その中でエアコンについて見てみると、人のいる場所を感知して、直接風が当たるのを防いだり、エアコンの面倒な掃除を自動で行ったりと画期的なものが続々と世の中に出て来ている。
【０００３】
しかし、改善すべき点はまだまだあり、個々の人にとって快適な温度というものは違っている。例えば夏場の設定温度を２４℃にした場合、ちょうど良いという人もいれば、暑いあるいは寒いと感じる人もいる。
【０００４】
そこで個々の人にとって快適な温度に設定を行うのが特許文献１に記載されているシステムである。性別、年齢、体脂肪率等を用いて個々の人にとって最適または快適な設定温度としての空気調和機が存在する。外気温度と室内温度との温度差を考慮し、外気及び室内温度のバランスを保ちながら自動制御することにより、無駄な空気調和機の運転を低減させることで、消費電力を抑え、かつ、最適な温度調節を行うことができる。
【先行技術文献】
【特許文献】
【０００５】
【特許文献１】特開２００８−７００９３号公報
【発明の概要】
【発明が解決しようとする課題】
【０００６】
従来の技術では、個々の人にとって最適な運動時間と設定温度との組み合わせを用いて空気調和機を制御すると記載されているが、それが個々の人の健康に良いものとは限らず、過剰に設定温度を低くする恐れがあり、体にとって健康に良いとはいえない。また、外気温度と室内温度との温度差を考慮し、外気及び室内温度のバランスを保ちながら空気調和機を自動制御することにより、無駄な消費電力を抑えることにつながるが、どのくらいの消費電力を削減できたかはわからず、それによりエコへの貢献度や健康度もユーザ自身にわからない。
【０００７】
この発明は上記の問題を解決するためになされたもので、空調を最適な温度に設定するためのアドバイスをすることにより、過剰な温度設定を防止することが可能で、健康的かつ余分な電気量を削減できることにより、エコにも貢献するエコ健康装置を提供することを目的とする。
【０００８】
この発明の他の目的は、電気代の節約、エコのへの貢献だけでなく、健康にも意識させることができるように改良されたエコ健康装置を提供することにある。
【課題を解決するための手段】
【０００９】
この発明の請求項１に係るエコ健康装置は、エアコンを最適な温度に設定するためのアドバイスを行うエコ健康装置であって、「性別」を入力する性別入力手段と、「年齢」を入力する年齢入力手段と、「体脂肪率」を入力する体脂肪率入力手段と、性別、年齢及び体脂肪率と、そのときの人の体にとって上記エアコンの健康的な設定温度である健康設定温度とを対応づけて記憶する健康温度記憶手段と、上記性別入力手段、上記年齢入力手段、上記体脂肪率入力手段より得られた性別、年齢及び体脂肪率と、上記健康温度記憶手段が記憶する記憶データとから、上記健康設定温度を判定する健康温度判定手段と、上記健康温度判定手段によって判定された上記健康設定温度を表示する表示手段と、を備える。
【００１０】
この発明によれば、性別、年齢、体脂肪率を入力することにより、その時点での個々の人にとって健康に良い温度を設定するようにしたものである。
【００１１】
この発明の請求項２に係るエコ健康装置によれば、請求項１に記載のエコ健康装置であって、さらに、上記エアコンの現在の設定温度を入力する現在設定温度入力手段と、上記エアコンの上記設定温度にした時に１時間当たりにかかる「電力量」を入力する電力量入力手段と、上記現在設定温度入力手段から出力された温度と、上記健康温度判定手段から出力された上記健康設定温度との、差から削減される電力量を計算して出力する削減電力量判定手段と、削減される電力量と、削減できる電気代と、削減できる電力量からどのくらいに環境保全に努めることができたかを定量的に示すエコ貢献度と、削減できる電力量からユーザがどのくらい健康になるかを定量的に示す健康度と、を対応付けて記憶する電力量効果記憶手段と、上記削減電力量判定手段から出力された削減電力量と上記電力量効果記憶手段とを用いて、削減できる電気代と上記エコ貢献度と上記健康度を出力する削減エコ判定手段とを備え、上記表示手段には、上記健康設定温度に加えて、現在の設定温度から上記健康設定温度に設定した場合の、削減される電気量、上記エコ貢献度及び上記健康度を画面に表示する。
【００１２】
この実施態様によれば、ユーザ自身に、現在の設定温度から健康設定温度に設定した場合の、電気代（削減電力量）とエコ貢献度と健康度を見せることができ、電気代の経済状況だけでなく、エコや健康にも意識させることができる。
【００１３】
この発明の請求項３に係るエコ健康装置によれば、請求項１に記載のエコ健康装置であって、さらに、上記エアコンの上記健康設定温度にした時に１時間当たりにかかる「電力量」を入力する電力量入力手段と、上記健康温度記憶手段が記憶する記憶データから、上記性別、年齢からユーザ自身にとって標準的な体脂肪率を判定し、そのときの上記エアコンの健康的な設定温度である標準カラダ温度を判定して出力する標準カラダ温度判定手段と、上記健康温度判定手段から出力された上記健康設定温度と、上記標準カラダ温度判定手段から出力された上記標準カラダ温度と、の差から削減される電力量を計算して出力する削減電力量判定手段と、削減される電力量と、削減できる電気代と、削減できる電力量からどのくらいに環境保全に努めることができたかを定量的に示すエコ貢献度と、削減できる電力量からユーザがどのくらい健康になるかを定量的に示す健康度と、を対応付けて記憶する電力量効果記憶手段と、上記削減電力量判定手段から出力された削減電力量と上記電力量効果記憶手段とを用いて、削減できる電気代と上記エコ貢献度と上記健康度を出力する削減エコ判定手段とを備え、上記表示手段には、上記健康設定温度に加えて、現在の体脂肪率と、さらにランクを１〜３に分けてなる、上記削減エコ判定手段に入力された上記削減電気量と上記エコ貢献度と上記健康度を示す健康エコ目標とを表示する。
【００１４】
この実施態様によれば、性別、年齢、体脂肪率を入力することにより、その時点での個々の人にとって健康に良い温度を設定し、もし体脂肪率が高い場合は、体脂肪率の標準を出し、その体脂肪率の標準に近付けた時にどのくらい電気代を削減できたか、またエコの貢献度、健康度を表示するようにしたものである。
【発明の効果】
【００１５】
請求項１に係るエコ健康装置は、健康に良い温度を設定することにより、体に対する負担を軽減でき、過剰な温度設定を防止することができる。
【００１６】
請求項２に係るエコ健康装置は、健康に良い温度を設定することにより、体に対する負担を軽減でき、過剰な温度設定を防止することができるとともに、ユーザ自身に、現在の設定温度から健康設定温度に設定した場合の、電気代（削減電力量）とエコ貢献度と健康度を見せることができ、電気代の経済状況だけでなく、エコや健康にも意識させることができる。
【００１７】
請求項３に係るエコ健康装置は、健康に良い温度を設定することにより、体に対する負担を軽減でき、過剰な温度設定を防止することができるとともに、もし現在の体脂肪率が標準より高ければ、標準的な体脂肪率に近付けるために体重を何キロ落としたら健康によいかをアドバイスができ、それにより電気代の削減、エコへの貢献、健康につながる。またユーザ自身が見ることによりエコや健康の意識も高めることができる。
【図面の簡単な説明】
【００１８】
【図１】本発明の実施例１に係る、エアコンを最適な温度に設定するためのアドバイスを行うエコ健康装置の概要を示す図である。
【図２】実施例１に係るエコ健康装置の処理の流れを示すフローチャートである。
【図３】健康温度表を示す図である。
【図４】（Ａ）ユーザの性別、年齢、体脂肪率を入力する態様を示す図である。（Ｂ）ユーザにとっての現在の健康設定温度を表示する態様を示すテレビの画面である。
【図５】ユーザにとっての現在の健康設定温度を表示する他の態様を示す携帯電話の画面である。
【図６】本発明の実施例２に係るエコ健康装置の概要を示す図である。
【図７】実施例２に係るエコ健康装置の処理の流れを示すフローチャートである。
【図８】削減電力量計算表を示す図である。
【図９】削減エコ表を示す図である。
【図１０】表示の例を示す図である。
【図１１】本発明の実施例３に係るエコ健康装置の概要を示す図である。
【図１２】実施例３におけるエコ健康装置の処理の流れを示すフローチャートの図である。
【図１３】（Ａ）実施例３に係る表示手段の表示例を示す図である。（Ｂ）実施例３に係る表示手段のさらなる表示例を示す図である。
【発明を実施するための形態】
【００１９】
空調を最適な温度に設定するためのアドバイスをすることにより、過剰な温度設定を防止することが可能で、健康的かつ余分な電気量を削減できるエコ健康装置を提供するという目的を、性別、年齢、体脂肪率を入力することにより、その時点での個々の人にとって健康に良い温度を設定することによって実現した。以下、この発明の実施例を、図を用いて説明する。
【実施例１】
【００２０】
図１は本発明の実施例１に係る、エアコンを最適な温度に設定するためのアドバイスを行うエコ健康装置の概要を示す図である。
【００２１】
図１を参照して、制御手段（１０１）は運転を制御する手段である。性別入力手段（１０２）はユーザの性別を入力する手段である。年齢入力手段（１０３）は、ユーザの年齢を入力する手段である。体脂肪率入力手段は（１０４）、ユーザの体脂肪率を入力する手段である。健康温度記憶手段（１０７）は、性別、年齢、体脂肪率と、そのときの人の体にとって上記エアコンの健康的な設定温度である健康設定温度とを対応づけて記憶する手段である。健康温度判定手段（１０６）は、上記性別入力手段（１０２）、上記年齢入力手段（１０３）、上記体脂肪率入力手段（１０４）より得られた性別、年齢及び体脂肪率と、上記健康温度記憶手段（１０７）が記憶する記憶データとから、上記健康設定温度を判定する。表示手段（１０５）は、上記健康温度判定手段（１０６）によって判定された上記健康設定温度を表示するもので、テレビや携帯電話、パソコンのディスプレイ等である。
【００２２】
本実施例１におけるエコ健康装置の処理の流れを図２のフローチャートを用いて説明する。まず最初に、ユーザの性別、年齢、体脂肪率を入力する(ステップ２０１)。入力の方法は、携帯端末やテレビではユーザの手入力によるのが一般的であるが、通信機能を備えていれば、Ｗｉｉや体組成計のようにこれらの情報を記憶している機器との通信を行い取得したり、情報を保存しているサーバと通信し取得することも考えられる。また、一度入力した情報を記憶したものを利用してもよい。テレビの場合、図４（Ａ）に示すように、大きい画面表示のため、ユーザにとっても見やすく、性別、年齢、体脂肪率をテレビのリモコンを使い入力するので、入力しやすい。またＷｉｉを使うことによってゲーム感覚での入力も可能である。
【００２３】
ユーザの性別、年齢、体脂肪率の値を健康判定手段にて健康温度表を用いて、健康設定温度を判定する（ステップ２０２）。図３に示す健康温度表を用いて、性別、年齢、体脂肪率から「やせ」、「−標準」、「＋標準」、「軽肥満」、「肥満」といったように体質を分けることができる（（株）タニタ）。そこから体質により健康設定温度を設定したものである(２０２)。例えば[痩せ]＝２８℃、[−標準]＝２６℃、[＋標準]＝２４℃ 、[軽肥満]＝２２℃、「肥満」＝２０℃と設定する。そこから出力された健康設定温度を表示手段で表示する(２０３)。例えば男性４３歳の人が体脂肪率１６％なら健康温度表から「−標準」と体質を分類することができ、「−標準」から２６℃と判定することができる。その結果２６℃と表示する。
【００２４】
図４(Ｂ)を参照して、テレビに表示する場合、表示画面が大きく、またユーザにとって、テレビを見るついでに現在の健康設定温度を見ることができ、ユーザ自身が健康を意識するようになる。
【００２５】
図５を参照して、携帯電話については、いつ、どこにいてもエアコンの健康設定温度を見ることが可能である。パソコンのディスプレイに表示する場合、健康設定温度を表示するだけでなく、健康に関連したサイトをインターネットを通して紹介することも可能であり、このことはパソコンのディスプレイだけでなくテレビや携帯電話でも可能である。またユーザの健康への意識も高まる。エコ健康装置がエアコンを制御する機能も有する場合は健康設定温度を表示するとともに、エアコンの設定温度を実際に変更できるようにしても良い。また健康温度表、健康温度判定手段は必ずしも装置内にある必要はなく、インターネット上のサーバにあり、エコ健康装置からは、性別、年齢、体脂肪率をパラメータとしてリクエストを送信し、エアコンの健康設定温度を結果として受信する構成も考えられる。
【実施例２】
【００２６】
図６は、本発明の実施例２に係るエコ健康装置の概要を示す図である。
【００２７】
図６を参照して、制御手段（６０１）、性別入力手段（６０２）、年齢入力手段（６０３）、体脂肪率入力手段（６０４）、健康温度判定手段（６０７）、健康温度記憶手段（６０８）は、実施例１のエコ健康装置と同じ手段である。現在設定温度入力手段（６０５）はエアコンの現在の設定温度を入力する手段である。
【００２８】
電力量入力手段（６０６）は、エアコンの上記設定温度にした時に１時間当たりにかかる電力量を入力する手段である。削減電力量判定手段（６０９）は、上記現在設定温度入力手段（６０５）から出力された温度と、健康温度判定手段（６０７）から出力された上記健康設定温度との、差から削減される電力量を計算して出力する手段である。電力量効果記憶手段（６１１）は、削減される電力量と、削減できる電気代と、削減できる電力量からどのくらいに環境保全に努めることができたかを定量的に示すエコ貢献度と、削減できる電力量からユーザがどのくらい健康になるかを定量的に示す健康度と、を対応付けて記憶する手段である。削減エコ判定手段（６１０）は、上記削減電力量判定手段（６０９）から出力された削減電力量と上記電力量効果記憶手段（６１１）とを用いて、削減できる電気代と上記エコ貢献度と上記健康度を出力する手段である。
【００２９】
表示手段（６１２）は、実施例１で表示した健康設定温度に加えて、現在の設定温度から上記健康設定温度に設定した場合の、削減される電気量、上記エコ貢献度及び上記健康度を画面に表示する。
【００３０】
本実施例２におけるエコ健康装置の処理の流れを図７のフローチャートを用いて説明する。性別、年齢、体脂肪率、現在のエアコンの設定温度を入力する(ステップ７０１)。入力方法は実施例１で記載した方法と同様である。
【００３１】
性別、年齢、体脂肪率の値を健康判定手段にて健康温度表を用いて、健康設定温度を実施例１と同様の方法で判定する(ステップ７０２)。
【００３２】
得られた健康設定温度と現在設定温度の差から現在設定温度時にかかる電力量を用いて削減できる電力量を削減電力量判定手段にて、削減電力量判定表から判定する(ステップ７０３)。図８は削減電力量計算表を示している。
【００３３】
そこから出力された削減電力量からエコ貢献度、健康度を削減エコ判定手段にて図９の削減エコ表より判定し、削減できる電気代については１時間当たりの電気代(円)＝削減電力量(ｋｗｈ) × ２２(円／ｋｗｈ)の式を用いて算出する(ステップ７０４)。図９の削減エコ表について説明する。エコ貢献度とは削減できる電力量からどのくらい環境保全に努めることができたかを表す。例えば削減できる電力量１０ｋｗ以上１５ｋｗ未満の場合には木１本を守ることができたことを表す。健康度とは、削減できる電力量から、ユーザがどのくらい健康になるかを評価する（黒星マークの数で示す、数が多いほどより健康になる）。
【００３４】
最後に得られた効果を表示手段で表示する(ステップ７０５)。図１０では、表示の例を示す。例えば電力量１０ｋｗ以上１５ｋｗ未満の場合には健康度、黒星マーク２つと表示し、ユーザの健康を促進させる。削減エコ表等から出力された電気代、エコ貢献度、健康度また、設定温度、健康設定温度を表示する表示手段。例えば夏場の冷房の設定温度が２３℃の時に２５℃に設定を変えると、２℃の温度変化からどれだけの電力が削減せれるかを削減電力量判定表から判定し、その削減できる電力量から削減エコ表を用いて削減電力量：１０ｗ、エコ貢献度：木１本、健康度：黒星マーク２つ、削減電気代：２００円、が表示される。表示の仕方は実施例１と同様、テレビや携帯電話等である。ユーザ自身に見せることによりどのくらいエコ、経済、健康に気をつけているかを気付かせることができ、ユーザの意識も高めることも可能である。
【実施例３】
【００３５】
図１１は本発明の実施例３に係るエコ健康装置の概要を示す図である。 
【００３６】
図１１を参照して、制御手段（１１０１）性別入力手段（１１０２）、年齢入力手段（１１０３）、体脂肪率入力手段（１１０４）、健康温度判定手段（１１０６）、健康温度記憶手段（１１０７）実施例１のエコ健康装置と同じ処理を行う。
【００３７】
標準カラダ温度判定手段（１１１１）は、健康温度記憶手段（１１０７）が記憶する記憶データから、上記性別、年齢からユーザ自身にとって標準的な体脂肪率を判定し、そのときの上記エアコンの健康的な設定温度である標準カラダ温度を判定して出力する手段である。電力量入力手段（１１０５）は、上記エアコンの上記健康設定温度にした時に１時間当たりにかかる「電力量」を入力する。削減電力量判定手段（１１０８）は、上記健康温度判定手段（１１０６）から出力された上記健康設定温度と、上記標準カラダ温度判定手段（１１１１）から出力された上記標準カラダ温度と、の差から削減される電力量を計算して出力する。
【００３８】
電力量効果記憶手段（１１０９）、削減エコ判定手段（１１１０）は実施例２のエコ健康装置と同じ手段である。
【００３９】
表示手段（１１１２）は、実施例１と同様の健康設定温度に加えて、現在の体脂肪率と、さらにランクを１〜３に分けてなる、上記削減エコ判定手段に入力された上記削減電気量と上記エコ貢献度と上記健康度を示す健康エコ目標とを表示する。
【００４０】
本実施例３におけるエコ健康装置の処理の流れを図１２のフローチャートを用いて説明する。
【００４１】
性別、年齢、体脂肪率を入力し(ステップ１２０１)、その値を健康判定手段にて健康温度表を用いて、健康設定温度を判定する(ステップ１２０３)。また標準カラダ温度判定手段では性別、年齢からユーザ自身にとって標準的な体脂肪率を判定し、その時の標準カラダ温度を出力する(ステップ１２０２)。図３の健康温度表をもとにユーザの性別、年齢を入力すると標準の温度が出力される。例えば、ユーザの性別が男性で年齢が３７歳の場合、標準な体脂肪率は約１６．５％であり、その時の健康設定温度は２２℃、標準カラダ温度は２６℃が出力される。削減電力量判定手段で健康設定温度と標準カラダ温度の差から健康設定温度時にかかる電力量を用いて削減できる電力量を求め(ステップ１２０４)、削減エコ判定手段で削減電力量より電気代、エコ貢献度、健康度を判定する(ステップ１２０５)。
【００４２】
表示手段としては現在の健康設定温度と体脂肪率と健康エコ目標を表示し、健康エコ目標にはランクを１〜３にわけ、削減エコ計算手段に入力された削減電気量とエコ貢献度と健康度を表示する(ステップ１２０６)。ランクはユーザの頑張り度によって表示される。  図１３（Ａ）を参照して、例えば先程の例を用いるとユーザの性別が男性で年齢が３７歳の場合、標準な体脂肪率は約１６．５％ である。しかしユーザ自身の体脂肪率は３２％としたら、いきなり１６．５％と表示されても約１５％近く体脂肪率を落とさなければならず、ユーザが努力しようと思うことは極めて低いと考える。そこでランク１は体脂肪率２５％を目標、ランク２は体脂肪率２８％を目標、ランク３は体脂肪率３０％を目標とし、ユーザが頑張れる度合に分けて表示する。その流れとして図１２のステップ１２０４とステップ１２０５をループしてランク１〜３を求める。そしてランク１から３を選ぶことによって、エアコンの設定温度を変更することも可能である。
【００４３】
そして、図１３（Ｂ）を参照して、食事方法やダイエットへのアドバイスも表示する。これにより、経済的、エコへの貢献はもちろんのこと、特に体脂肪率が高い人なら下げることにより健康的な体を作ることも可能である。またランク付けからユーザ自身が自分に適した減量等を選ぶことができる。
【００４４】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４５】
本発明は、空調を最適な温度に設定するためのアドバイスをすることにより、過剰な温度設定を防止することが可能で，健康的かつ余分な電気量を削減できることにより、エコにも貢献する。
【符号の説明】
【００４６】
１０１ 制御手段
１０２ 性別入力手段
１０３ 年齢入力手段
１０４ 体脂肪率入力手段
１０５ 表示手段
１０６ 健康温度判定手段
１０７ 健康温度記憶手段
【図１】
2011226720.tif 000003
【図２】
2011226720.tif 000004
【図３】
2011226720.tif 000005
【図４】
2011226720.tif 000006
【図５】
2011226720.tif 000007
【図６】
2011226720.tif 000008
【図７】
2011226720.tif 000009
【図８】
2011226720.tif 000010
【図９】
2011226720.tif 000011
【図１０】
2011226720.tif 000012
【図１１】
2011226720.tif 000013
【図１２】
2011226720.tif 000014
【図１３】
2011226720.tif 000015